(57)【特許請求の範囲】
【請求項１】
無彩色インクと、有彩色インクとを含むインクジェット記録用インクセットであって、
前記無彩色インクは、カリウムイオンと、リチウムイオン及びナトリウムイオンの少なくとも一方とを含み、
前記有彩色インクは、カリウムイオン、リチウムイオン及びナトリウムイオンからなる群から選択される少なくとも一つを含み、
下記条件（Ｘ）及び下記条件（Ｙ）を満たすことを特徴とするインクジェット記録用インクセット。
条件（Ｘ）：Ｋａ／（Ｌｉａ＋Ｎａａ＋Ｋａ）＞０．７
Ｋａ：前記無彩色インク中のカリウムイオン濃度（ｐｐｍ）
Ｌｉａ：前記無彩色インク中のリチウムイオン濃度（ｐｐｍ）
Ｎａａ：前記無彩色インク中のナトリウムイオン濃度（ｐｐｍ）
条件（Ｙ）：Ｋｃ／（Ｌｉｃ＋Ｎａｃ＋Ｋｃ）＜０．６
Ｋｃ：前記有彩色インク中のカリウムイオン濃度（ｐｐｍ）
Ｌｉｃ：前記有彩色インク中のリチウムイオン濃度（ｐｐｍ）
Ｎａｃ：前記有彩色インク中のナトリウムイオン濃度（ｐｐｍ）
【請求項２】
下記条件（Ｘ１）及び下記条件（Ｙ１）を満たす請求項１記載のインクジェット記録用インクセット。
条件（Ｘ１）：Ｋａ／（Ｌｉａ＋Ｎａａ＋Ｋａ）＞０．８
Ｋａ：前記無彩色インク中のカリウムイオン濃度（ｐｐｍ）
Ｌｉａ：前記無彩色インク中のリチウムイオン濃度（ｐｐｍ）
Ｎａａ：前記無彩色インク中のナトリウムイオン濃度（ｐｐｍ）
条件（Ｙ１）：Ｋｃ／（Ｌｉｃ＋Ｎａｃ＋Ｋｃ）＜０．５
Ｋｃ：前記有彩色インク中のカリウムイオン濃度（ｐｐｍ）
Ｌｉｃ：前記有彩色インク中のリチウムイオン濃度（ｐｐｍ）
Ｎａｃ：前記有彩色インク中のナトリウムイオン濃度（ｐｐｍ）
【請求項３】
前記無彩色インクは、ブラック顔料と、水とを含む水性ブラックインクであり、
前記有彩色インクは、
イエロー顔料と、水とを含み水性イエローインク、
マゼンタ顔料と、水とを含む水性マゼンタインク、及び、
シアン顔料と、水とを含む水性シアンインクからなる群から選択される少なくとも一つの水性有彩色インクである請求項１又は２記載のインクジェット記録用インクセット。
【請求項４】
前記無彩色インクは、自己分散型カーボンブラックと、界面活性剤と、水とを含む水性ブラックインクであり、
前記有彩色インクは、
イエロー顔料と、樹脂分散剤と、界面活性剤と、水とを含む水性イエローインク、
マゼンタ顔料と、樹脂分散剤と、界面活性剤と、水とを含む水性マゼンタインク、及び、
シアン顔料と、樹脂分散剤と、界面活性剤と、水とを含む水性シアンインクからなる群から選択される少なくとも一つの水性有彩色インクである請求項１又は２記載のインクジェット記録用インクセット。
【請求項５】
前記無彩色インクは、自己分散型カーボンブラックと、水とを含む水性ブラックインクであり、
前記有彩色インクは、自己分散型有彩色顔料と、水とを含む水性有彩色インクである請求項１又は２記載のインクジェット記録用インクセット。
【請求項６】
前記有彩色インクは、
自己分散型イエロー顔料と、水とを含む水性イエローインク、
自己分散型マゼンタ顔料と、水とを含む水性マゼンタインク、及び、
自己分散型シアン顔料と、水とを含む水性シアンインクからなる群から選択される少なくとも一つの水性有彩色インクである請求項５記載のインクジェット記録用インクセット。
【請求項７】
前記イエロー顔料は、アゾ顔料を含み、
前記マゼンタ顔料は、キナクリドン顔料を含み、
前記シアン顔料は、フタロシアニン顔料を含む請求項３、４又は６記載のインクジェット記録用インクセット。
【請求項８】
前記イエロー顔料は、Ｃ．Ｉ．ピグメントイエロー７４及びＣ．Ｉ．ピグメントイエロー１５５の少なくとも一方を含み、
前記マゼンタ顔料は、Ｃ．Ｉ．ピグメントバイオレット１９、Ｃ．Ｉ．ピグメントレッド１２２、Ｃ．Ｉ．ピグメントレッド２０２及びこれら３種類のマゼンタ顔料のうちの少なくとも２種類のマゼンタ顔料を含む固溶体からなる群から選択される少なくとも一つを含み、
前記シアン顔料は、Ｃ．Ｉ．ピグメントブルー１５：３及びＣ．Ｉ．ピグメントブルー１５：４の少なくとも一方を含む請求項７記載のインクジェット記録用インクセット。
【請求項９】
前記水性ブラックインク中のカリウムイオン濃度、リチウムイオン濃度及びナトリウムイオン濃度の総和は、５０ｐｐｍ〜２０００ｐｐｍであり、
前記水性イエローインク中のカリウムイオン濃度、リチウムイオン濃度及びナトリウムイオン濃度の総和は、５０ｐｐｍ〜２０００ｐｐｍであり、
前記水性マゼンタインク中のカリウムイオン濃度、リチウムイオン濃度及びナトリウムイオン濃度の総和は、５０ｐｐｍ〜２０００ｐｐｍであり、
前記水性シアンインク中のカリウムイオン濃度、リチウムイオン濃度及びナトリウムイオン濃度の総和は、５０ｐｐｍ〜２０００ｐｐｍである請求項３、４及び６〜８のいずれか一項に記載のインクジェット記録用インクセット。
【請求項１０】
前記有彩色インクとして、２色以上の有彩色インクを含み、
前記条件（Ｙ）又は（Ｙ１）において、
Ｋｃを、前記２色以上の有彩色インク中のカリウムイオン濃度の総和（ｐｐｍ）とし、
Ｌｉｃを、前記２色以上の有彩色インク中のリチウムイオン濃度の総和（ｐｐｍ）とし、
Ｎａｃを、前記２色以上の有彩色インク中のナトリウムイオン濃度の総和（ｐｐｍ）とする請求項１〜９のいずれか一項に記載のインクジェット記録用インクセット。
【発明の詳細な説明】
【技術分野】
【０００１】
本発明は、インクジェット記録用インクセットに関する。
【背景技術】
【０００２】
従来から、ブラックインク等の無彩色インクと、カラーインク等の有彩色インクとを、インクジェット記録方式で記録媒体に吐出して記録するインクジェット記録が知られている。インクジェット記録をする場合、無彩色インクを用いて記録媒体上に形成された記録部と、有彩色インクを用いて形成された記録部との境界部において、インクが滲むブリードが生じることが知られている。前記ブリードが生じると、カラー画像の記録品質が低下する。前記ブリードを抑制するために、無彩色インク及び有彩色インク中の水溶性溶剤の含有量を調整したインクジェット記録用インクセットが提案されている（特許文献１及び２参照）。
【先行技術文献】
【特許文献】
【０００３】
【特許文献１】特開２０１１−１８４５１８号公報
【特許文献２】特開２０１１−２０２１５２号公報
【発明の概要】
【発明が解決しようとする課題】
【０００４】
インクジェット記録用インクセットには、無彩色インクを用いて形成された記録部と、有彩色インクを用いて形成された記録部との境界部におけるブリードを効果的に防止する新たな手法が求められている。
【０００５】
そこで、本発明は、無彩色インクを用いて形成された記録部と、有彩色インクを用いて形成された記録部との境界部におけるブリードを効果的に防止可能なインクジェット記録用インクセットを提供することを目的とする。
【課題を解決するための手段】
【０００６】
前記目的を達成するために、本発明のインクジェット記録用インクセットは、
無彩色インクと、有彩色インクとを含むインクジェット記録用インクセットであって、
前記無彩色インクは、カリウムイオンと、リチウムイオン及びナトリウムイオンの少なくとも一方とを含み、
前記有彩色インクは、カリウムイオン、リチウムイオン及びナトリウムイオンからなる群から選択される少なくとも一つを含み、
下記条件（Ｘ）及び下記条件（Ｙ）を満たすことを特徴とする。
条件（Ｘ）：Ｋａ／（Ｌｉａ＋Ｎａａ＋Ｋａ）＞０．７
Ｋａ：前記無彩色インク中のカリウムイオン濃度（ｐｐｍ）
Ｌｉａ：前記無彩色インク中のリチウムイオン濃度（ｐｐｍ）
Ｎａａ：前記無彩色インク中のナトリウムイオン濃度（ｐｐｍ）
条件（Ｙ）：Ｋｃ／（Ｌｉｃ＋Ｎａｃ＋Ｋｃ）＜０．６
Ｋｃ：前記有彩色インク中のカリウムイオン濃度（ｐｐｍ）
Ｌｉｃ：前記有彩色インク中のリチウムイオン濃度（ｐｐｍ）
Ｎａｃ：前記有彩色インク中のナトリウムイオン濃度（ｐｐｍ）
【発明の効果】
【０００７】
本発明によれば、無彩色インクにおけるカリウムイオン、リチウムイオン及びナトリウムイオンの総量に占めるカリウムイオンの割合を前記条件（Ｘ）を満たすようにし、有彩色インクにおける前記割合を前記条件（Ｙ）を満たすようにしたことで、無彩色インクを用いて形成された記録部と、有彩色インクを用いて形成された記録部との境界部におけるブリードを効果的に防止可能である。
【図面の簡単な説明】
【０００８】
【図１】図１は、本発明のインクジェット記録装置の一例の構成を示す概略斜視図である。
【発明を実施するための形態】
【０００９】
本発明において、「無彩色」とは、例えば、白を除く無彩色であって、黒色（ブラック）及び灰色（グレー）を含む。
【００１０】
本発明のインクジェット記録用インクセット（以下、「インクセット」と言うことがある。）について説明する。本発明のインクジェット記録用インクセットは、無彩色インクと、有彩色インクとを含む。
【００１１】
（無彩色インク）
まず、前記無彩色インクについて説明する。前記無彩色インクは、無彩色の着色剤及び溶媒を含む。これ以降、前記溶媒を水として説明するが、前記無彩色インクの溶媒は、水に限定されない。前記無彩色の着色剤は、特に限定されず、無彩色の顔料又は無彩色の染料のいずれであってもよい。また、前記無彩色の着色剤として、無彩色の顔料及び無彩色の染料を混合して用いてもよい。
【００１２】
前記無彩色の顔料としては、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、カーボンブラック系無機顔料等をあげることができる。前記有機顔料としては、例えば、アニリンブラック昼光蛍光顔料等があげられる。また、その他の顔料であっても水に分散可能なものであれば使用できる。これらの顔料の具体例としては、例えば、Ｃ．Ｉ．ピグメントブラック１、６及び７等があげられる。前記無彩色インクは、前記無彩色の顔料を分散剤で水に分散させたものであってもよい。前記分散剤としては、例えば、一般的な樹脂分散剤等を用いてよい。また、前記無彩色インクにおいて、前記無彩色の顔料は、高分子によりカプセル化させたものであってもよい。
【００１３】
前記無彩色の顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報、特表２０１１−５１５５３５号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラック等があげられる。前記自己分散型顔料は、例えば、市販品を用いてもよい。前記市販品としては、例えば、キャボット・コーポレーション社製の「ＣＡＢ−Ｏ−ＪＥＴ（登録商標）２００」、「ＣＡＢ−Ｏ−ＪＥＴ（登録商標）３００」、「ＣＡＢ−Ｏ−ＪＥＴ（登録商標）４００」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」等があげられる。
【００１４】
前記無彩色インク全量における前記無彩色の顔料の配合量（無彩色顔料固形分量）は、特に限定されず、例えば、所望の光学濃度等により、適宜決定できる。前記無彩色顔料固形分量は、例えば、０．１重量％〜２０重量％、１重量％〜１５重量％、２重量％〜１０重量％である。前記無彩色の顔料は、１種類を単独で用いてもよいし、２種類以上を併用してもよい。
【００１５】
前記無彩色の染料は、特に限定されず、例えば、Ｃ．Ｉ．ダイレクトブラック１７、１９、３２、５１、７１、１０８、１４６、１５４及び１６８；Ｃ．Ｉ．アシッドブラック２、７、２４、２６、３１、５２、６３、１１２及び１１８；Ｃ．Ｉ．ベーシックブラック２；Ｃ．Ｉ．フードブラック１及び２；等があげられる。
【００１６】
前記無彩色インク全量における前記無彩色の染料の配合量は、特に限定されず、例えば、０．１重量％〜２０重量％、１重量％〜１５重量％、２重量％〜１０重量％である。前記無彩色の染料は、１種類を単独で用いてもよいし、２種類以上を併用してもよい。
【００１７】
前記水は、イオン交換水又は純水であることが好ましい。前記無彩色インク全量おける前記水の配合量は、例えば、他の成分の残部としてもよい。
【００１８】
前記無彩色インクは、さらに、カリウムイオンと、リチウムイオン及びナトリウムイオンの少なくとも一方とを含む。これらのイオンは、例えば、前記無彩色の着色剤等の前記無彩色インクの各成分に含まれたものであってもよく、前記無彩色インクに意図的に添加されたものであってもよい。
【００１９】
前記無彩色インク中のカリウムイオン濃度は、例えば、５０ｐｐｍ〜２０００ｐｐｍ、１００ｐｐｍ〜１０００ｐｐｍ、２００ｐｐｍ〜５００ｐｐｍである。前記カリウムイオン濃度は、前記無彩色インクの最終組成におけるものであり、これ以降の各種のイオン濃度についても同様である。前記カリウムイオン濃度は、例えば、市販の陽イオンクロマトグラフィー装置により測定可能であり、これ以降に記載の各種のイオン濃度も同様にして測定可能である。
【００２０】
前記無彩色インク中のリチウムイオン濃度は、例えば、０ｐｐｍ〜２０００ｐｐｍ、０ｐｐｍ〜１０００ｐｐｍ、０ｐｐｍ〜５００ｐｐｍである。
【００２１】
前記無彩色インク中のナトリウムイオン濃度は、例えば、０ｐｐｍ〜２０００ｐｐｍ、０ｐｐｍ〜１０００ｐｐｍ、０ｐｐｍ〜５００ｐｐｍである。ただし、前記無彩色インク中のリチウムイオン濃度及びナトリウムイオン濃度は、共に０ｐｐｍであることはない。
【００２２】
前記無彩色インクに含まれるイオンは、カリウムイオン、リチウムイオン及びナトリウムイオンのみであってもよい。また、前記無彩色インクは、カリウムイオン、リチウムイオン及びナトリウムイオン以外のイオンを含んでもよい。
【００２３】
前記無彩色インクは、さらに、界面活性剤を含んでもよい。前記界面活性剤は、特に限定されず、例えば、ライオン・スペシャリティ・ケミカルズ（株）製のアニオン性界面活性剤「ＬＩＰＯＬＡＮ（登録商標）」シリーズ、「ＬＩＰＯＮ（登録商標）」シリーズ、「ＳＵＮＮＯＬ（登録商標）」シリーズ、「ＬＩＰＯＴＡＣ（登録商標）」シリーズ、「ＥＮＡＧＩＣＯＬ（登録商標）」シリーズ、「ＬＩＰＡＬ（登録商標）」シリーズ及び「ＬＯＴＡＴ（登録商標）」シリーズ等；花王（株）製のアニオン性界面活性剤「ＥＭＡＬ（登録商標）」シリーズ、「ＬＡＴＥＭＵＬ（登録商標）シリーズ」、「ＶＥＮＯＬ（登録商標）」シリーズ、「ＮＥＯＰＥＬＥＸ（登録商標）」シリーズ、ＮＳ  ＳＯＡＰ、ＫＳ  ＳＯＡＰ、ＯＳ  ＳＯＡＰ及び「ＰＥＬＥＸ（登録商標）」シリーズ等；三洋化成工業（株）製のアニオン性界面活性剤「サンデット（登録商標）」シリーズ及び「ビューライト（登録商標）」シリーズ等；東邦化学工業（株）製のアニオン性界面活性剤「アルスコープ（登録商標）」シリーズ、「ネオスコープ（登録商標）」シリーズ、「フオスフアノール（登録商標）」シリーズ等；東京化成（株）製のアニオン性界面活性剤ヘキサデシル硫酸ナトリウム及びステアリル硫酸ナトリウム等；ライオン・スペシャリティ・ケミカルズ（株）製のノニオン界面活性剤「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ，ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ及び「ＬＥＯＦＡＴ（登録商標）」シリーズ等；花王（株）製のノニオン性界面活性剤「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＥＭＡＮＯＮ（登録商標）」シリーズ、「ＡＭＩＥＴ（登録商標）シリーズ」及び「ＡＭＩＮＯＮ（登録商標）」シリーズ等；日信化学工業（株）製のノニオン性界面活性剤「オルフィン（登録商標）」シリーズ等；第一工業製薬（株）製のカチオン性界面活性剤「カチオーゲン（登録商標）」シリーズ等；があげられる。前記界面活性剤は、１種類を単独で用いてもよいし、２種類以上を併用してもよい。
【００２４】
前記無彩色インクは、さらに、水溶性有機溶剤を含んでもよい。前記水溶性有機溶剤としては、例えば、インクジェットヘッドのノズル先端部における無彩色インクの乾燥を防止する湿潤剤及び記録媒体上での乾燥速度を調整する浸透剤があげられる。
【００２５】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２６】
前記無彩色インク全量における前記湿潤剤の配合量は、例えば、０重量％〜９５重量％、５重量％〜８０重量％、５重量％〜５０重量％である。
【００２７】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２８】
前記無彩色インク全量における前記浸透剤の配合量は、例えば、０重量％〜２０重量％、０重量％〜１５重量％、１重量％〜４重量％である。
【００２９】
前記無彩色インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。
【００３０】
前記無彩色インクは、例えば、前記無彩色の着色剤及び水と、必要に応じて他の添加成分とを、従来公知の方法で均一に混合し、フィルタ等で不溶解物を除去することにより調製できる。
【００３１】
前記無彩色インクの一例としては、自己分散型カーボンブラックと、界面活性剤と、水とを含む水性ブラックインクがあげられる。
【００３２】
前記水性ブラックインク中のカリウムイオン濃度、リチウムイオン濃度及びナトリウムイオン濃度の総和は、例えば、５０ｐｐｍ〜２０００ｐｐｍ、１００ｐｐｍ〜１０００ｐｐｍ、２００ｐｐｍ〜５００ｐｐｍである。
【００３３】
（有彩色インク）
つぎに、前記有彩色インクについて説明する。本発明のインクセットにおいて、前記有彩色インクは、１色のみであってもよいし、２色以上であってもよいが、少なくとも３原色のインク（イエローインク、マゼンタインク及びシアンインク）を含むことが好ましい。前記有彩色インクは、有彩色の着色剤及び溶媒を含む。これ以降、前記溶媒を水として説明するが、前記有彩色インクの溶媒は、水に限定されない。前記有彩色の着色剤は、特に限定されず、有彩色の顔料又は有彩色の染料のいずれであってもよい。また、前記有彩色の着色剤として、有彩色の顔料及び有彩色の染料を混合して用いてもよい。
【００３４】
前記有彩色の顔料としては、例えば、無機顔料及び有機顔料等があげられる。前記無機顔料としては、例えば、酸化鉄系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；等があげられる。また、その他の顔料であっても水相に分散可能なものであれば使用できる。これらの顔料の具体例としては、例えば、Ｃ．Ｉ．ピグメントイエロー１、２、３、１２、１３、１４、１５、１６、１７、５５、７３、７４、７５、７８、８３、９３、９４、９５、９７、９８、１１４、１２８、１２９、１３８、１５０、１５１、１５４、１５５、１８０、１８５、１９４及び２１３；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１５０、１６６、１６８、１７５、１７６、１７７、１７８、１８４、１８５、１９０、２０２、２０９、２２１、２２２、２２４及び２３８；Ｃ．Ｉ．ピグメントバイオレット１９及び１９６；Ｃ．Ｉ．ピグメントブルー１、２、３、１５、１５：１、１５：２、１５：３、１５：４、１５：６、１６、２２及び６０；Ｃ．Ｉ．ピグメントグリーン７及び３６；及びこれらの顔料の固溶体等もあげられる。前記固溶体は、例えば、２種類以上の前記有彩色の顔料を含むものであってもよい。例えば、前記有彩色インクが前記マゼンタインクである場合には、前記固溶体は、例えば、Ｃ．Ｉ．ピグメントレッド１２２及びＣ．Ｉ．ピグメントバイオレット１９の２種の顔料を含むものであってもよいし、Ｃ．Ｉ．ピグメントレッド２０２及びＣ．Ｉ．ピグメントバイオレット１９の２種の顔料を含むものであってもよい。前者の場合、特に制限するものではないが、Ｃ．Ｉ．ピグメントレッド１２２（Ｘ）及びＣ．Ｉ．ピグメントバイオレット１９（Ｙ）の重量比は、例えば、Ｘ：Ｙ＝１：０．１〜１０である。後者の場合、特に制限するものではないが、Ｃ．Ｉ．ピグメントレッド２０２（Ｚ）及びＣ．Ｉ．ピグメントバイオレット１９（Ｙ）の重量比は、例えば、Ｚ：Ｙ＝１：０．１〜１０である。前記有彩色インクは、前記有彩色の顔料を分散剤で水に分散させたものであってもよい。前記分散剤としては、例えば、一般的な樹脂分散剤等を用いてよい。また、前記有彩色インクにおいて、前記有彩色の顔料は、高分子によりカプセル化させたものであってもよい。
【００３５】
前記有彩色の顔料は、自己分散型顔料であってもよい。前記自己分散型顔料の原料としては、無機顔料及び有機顔料のいずれも使用することができる。前記自己分散型顔料は、例えば、市販品を用いてもよい。前記市販品としては、例えば、キャボット・コーポレーション社製の「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」等があげられる。
【００３６】
前記有彩色インク全量における前記有彩色の顔料の配合量（有彩色顔料固形分量）は、特に限定されず、例えば、所望の彩度等により、適宜決定できる。前記有彩色顔料固形分量は、例えば、０．１重量％〜２０重量％、１重量％〜１５重量％、２重量％〜１０重量％である。前記有彩色の顔料は、１種類を単独で用いてもよいし、２種類以上を併用してもよい。
【００３７】
前記有彩色の染料は、特に限定されず、例えば、Ｃ．Ｉ．ダイレクトブルー６、２２、２５、７１、８６、９０、１０６及び１９９；Ｃ．Ｉ．ダイレクトレッド１、４、１７、２８、８３及び２２７；Ｃ．Ｉ．ダイレクトイエロー１２、２４、２６、８６、９８、１３２、１４２及び１７３；Ｃ．Ｉ．ダイレクトオレンジ３４、３９、４４、４６及び６０；Ｃ．Ｉダイレクトバイオレット４７及び４８；Ｃ．Ｉ．ダイレクトブラウン１０９；Ｃ．Ｉ．ダイレクトグリーン５９；Ｃ．Ｉ．アシッドブルー９、２２、４０、５９、９３、１０２、１０４、１１７、１２０、１６７、２２９及び２３４；Ｃ．Ｉ．アシッドレッド１、６、３２、３７、５１、５２、８０、８５、８７、９２、９４、１１５、１８０、２５６、２８９、３１５及び３１７；Ｃ．Ｉ．アシッドイエロー１１、１７、２３、２５、２９、４２、６１及び７１；Ｃ．Ｉ．アシッドオレンジ７及び１９；Ｃ．Ｉ．アシッドバイオレット４９；Ｃ．Ｉ．ベーシックブルー１、３、５、７、９、２４、２５、２６、２８及び２９；Ｃ．Ｉ．ベーシックレッド１、２、９、１２、１３、１４及び３７；Ｃ．Ｉ．ベーシックバイオレット７、１４及び２７；等があげられる。
【００３８】
前記有彩色インク全量における前記有彩色の染料の配合量は、特に限定されず、例えば、０．１重量％〜２０重量％、１重量％〜１５重量％、２重量％〜１０重量％である。前記有彩色の染料は、１種類を単独で用いてもよいし、２種類以上を併用してもよい。
【００３９】
前記水は、イオン交換水又は純水であることが好ましい。前記有彩色インク全量おける前記水の配合量は、例えば、他の成分の残部としてもよい。
【００４０】
前記有彩色インクは、さらに、カリウムイオン、リチウムイオン及びナトリウムイオンからなる群から選択される少なくとも一つを含む。これらのイオンは、例えば、前記有彩色の着色剤等の前記有彩色インクの各成分に含まれたものであってもよく、前記有彩色インクに意図的に添加されたものであってもよい。
【００４１】
前記有彩色インク中のカリウムイオン濃度は、例えば、０ｐｐｍ〜２０００ｐｐｍ、０ｐｐｍ〜１０００ｐｐｍ、０ｐｐｍ〜５００ｐｐｍである。
【００４２】
前記有彩色インク中のリチウムイオン濃度は、例えば、０ｐｐｍ〜２０００ｐｐｍ、０ｐｐｍ〜１０００ｐｐｍ、０ｐｐｍ〜５００ｐｐｍである。
【００４３】
前記有彩色インク中のナトリウムイオン濃度は、例えば、０ｐｐｍ〜２０００ｐｐｍ、０ｐｐｍ〜１０００ｐｐｍ、０ｐｐｍ〜５００ｐｐｍである。ただし、前記有彩色インク中のカリウムイオン濃度、リチウムイオン濃度及びナトリウムイオン濃度は、それら全てが０ｐｐｍであることはない。
【００４４】
前記有彩色インクに含まれるイオンは、カリウムイオン、リチウムイオン及びナトリウムイオンのみであってもよい。また、前記有彩色インクは、カリウムイオン、リチウムイオン及びナトリウムイオン以外のイオンを含んでもよい。
【００４５】
前記有彩色インクは、前記無彩色インクと同様に、さらに、界面活性剤、水溶性有機溶剤及び添加剤を含んでもよい。
【００４６】
前記有彩色インクは、例えば、前記有彩色の着色剤及び水と、必要に応じて他の添加成分とを、従来公知の方法で均一に混合し、フィルタ等で不溶解物を除去することにより調製できる。
【００４７】
前記有彩色インクとしては、例えば、
イエロー顔料と、樹脂分散剤と、界面活性剤と、水とを含む水性イエローインクと、
マゼンタ顔料と、樹脂分散剤と、界面活性剤と、水とを含む水性マゼンタインクと、
シアン顔料と、樹脂分散剤と、界面活性剤と、水とを含む水性シアンインクと、
の組み合わせ等があげられる。
【００４８】
前記樹脂分散剤としては、例えば、一般的な高分子分散剤等を用いてよく、市販品を用いてもよい。前記市販品としては、例えば、ジョンソンポリマー（株）製の「ジョンクリル（登録商標）６１１」、「ジョンクリル（登録商標）６０」、「ジョンクリル（登録商標）５８６」、「ジョンクリル（登録商標）６８７」、「ジョンクリル（登録商標）６３」及び「ジョンクリル（登録商標）ＨＰＤ２９６」；ビックケミー社製の「Ｄｉｓｐｅｒｂｙｋ１９０」及び「Ｄｉｓｐｅｒｂｙｋ１９１」；ゼネカ社製の「ソルスパース２００００」及び「ソルスパース２７０００」等があげられる。
【００４９】
前記水性イエローインク中のカリウムイオン濃度、リチウムイオン濃度及びナトリウムイオン濃度の総和は、例えば、５０ｐｐｍ〜２０００ｐｐｍ、１００ｐｐｍ〜１０００ｐｐｍ、２００ｐｐｍ〜５００ｐｐｍである。
【００５０】
前記水性マゼンタインク中のカリウムイオン濃度、リチウムイオン濃度及びナトリウムイオン濃度の総和は、例えば、５０ｐｐｍ〜２０００ｐｐｍ、１００ｐｐｍ〜１０００ｐｐｍ、２００ｐｐｍ〜５００ｐｐｍである。
【００５１】
前記水性シアンインク中のカリウムイオン濃度、リチウムイオン濃度及びナトリウムイオン濃度の総和は、例えば、５０ｐｐｍ〜２０００ｐｐｍ、１００ｐｐｍ〜１０００ｐｐｍ、２００ｐｐｍ〜５００ｐｐｍである。
【００５２】
前記水性ブラックインク、前記水性イエローインク、前記水性マゼンタインク及び前記水性シアンインク中のカリウムイオン濃度、リチウムイオン濃度及びナトリウムイオン濃度の総和が、それぞれ、５０ｐｐｍ〜２０００ｐｐｍであれば、前記無彩色インク（前記水性ブラックインク）と、いずれの色の前記有彩色インク（前記水性イエローインク、前記水性マゼンタインク、前記水性シアンインク）との間においても、ブリードを効果的に防止可能である。
【００５３】
本発明のインクセットは、前記条件（Ｘ）及び前記条件（Ｙ）を満たす。これにより、本発明のインクセットによれば、無彩色インクを用いて形成された記録部と、有彩色インクを用いて形成された記録部との境界部におけるブリードを効果的に防止可能である。このブリード防止効果のメカニズムは、例えば、つぎのように推定される。すなわち、カリウムイオンは、リチウムイオン及びナトリウムイオンに比べてイオン半径が大きく、よりカチオン性の性質が強い。そのため、前記条件（Ｘ）を満たすように、前記無彩色イオンにおけるカリウムイオン、リチウムイオン及びナトリウムイオンの総量に占めるカリウムイオンの割合を高くし、且つ、前記条件（Ｙ）を満たすように、前記有彩色インクにおける前記割合を低くすると、前記無彩色インクと前記有彩色インクとの間において、前記無彩色インクは、相対的によりカチオン側の性質を帯び、前記有彩色インクは、相対的によりアニオン側の性質を帯びるようになる。その結果、記録用紙等の記録媒体上で、前記無彩色インクと、前記有彩色インクとが接触したときに、互いの性質の違いにより、両者が混ざりにくくなることで、ブリードが効果的に防止されると考えられる。ただし、このメカニズムは推定に過ぎず、本発明は、このメカニズムに限定されない。
【００５４】
本発明のインクセットにおいて、下記条件（Ｘ１）及び下記条件（Ｙ１）を満たすことが好ましい。下記条件（Ｘ１）及び下記条件（Ｙ１）を満たせば、無彩色インクを用いて形成された記録部と、有彩色インクを用いて形成された記録部との境界部におけるブリードをさらに効果的に防止可能である。
条件（Ｘ１）：Ｋａ／（Ｌｉａ＋Ｎａａ＋Ｋａ）＞０．８
Ｋａ：前記無彩色インク中のカリウムイオン濃度（ｐｐｍ）
Ｌｉａ：前記無彩色インク中のリチウムイオン濃度（ｐｐｍ）
Ｎａａ：前記無彩色インク中のナトリウムイオン濃度（ｐｐｍ）
条件（Ｙ１）：Ｋｃ／（Ｌｉｃ＋Ｎａｃ＋Ｋｃ）＜０．５
Ｋｃ：前記有彩色インク中のカリウムイオン濃度（ｐｐｍ）
Ｌｉｃ：前記有彩色インク中のリチウムイオン濃度（ｐｐｍ）
Ｎａｃ：前記有彩色インク中のナトリウムイオン濃度（ｐｐｍ）
【００５５】
本発明のインクセットでは、前記有彩色インクとして、２色以上の有彩色インクを含み、前記条件（Ｙ）又は（Ｙ１）において、Ｋｃを、前記２色以上の有彩色インク中のカリウムイオン濃度の総和（ｐｐｍ）とし、Ｌｉｃを、前記２色以上の有彩色インク中のリチウムイオン濃度の総和（ｐｐｍ）とし、Ｎａｃを、前記２色以上の有彩色インク中のナトリウムイオン濃度の総和（ｐｐｍ）としてもよい。この場合、本発明のインクセットは、無彩色インクと、２色以上の有彩色インクとを含むインクジェット記録用インクセットであって、前記無彩色インクは、カリウムイオンと、リチウムイオン及びナトリウムイオンの少なくとも一方とを含み、前記有彩色インクは、カリウムイオン、リチウムイオン及びナトリウムイオンからなる群から選択される少なくとも一つを含み、下記条件（Ｘ）及び下記条件（Ｚ）又は（Ｚ２）を満たすものであると言うこともできる。この態様においては、前記有彩色インクを混色（前記２色以上の有彩色インクを混合）しても、前記無彩色インクとの間でのブリードを効果的に防止可能である。本発明において、前記２色以上の有彩色インクの混合により形成された記録部は、有彩色であっても、無彩色（例えば、イエローインク、マゼンタインク、シアンインクの混合によるグレー等）であってもよい。
条件（Ｘ）：Ｋａ／（Ｌｉａ＋Ｎａａ＋Ｋａ）＞０．７
Ｋａ：前記無彩色インク中のカリウムイオン濃度（ｐｐｍ）
Ｌｉａ：前記無彩色インク中のリチウムイオン濃度（ｐｐｍ）
Ｎａａ：前記無彩色インク中のナトリウムイオン濃度（ｐｐｍ）
条件（Ｚ）：Ｋｃｔ／（Ｌｉｃｔ＋Ｎａｃｔ＋Ｋｃｔ）＜０．６
Ｋｃｔ：前記２色以上の有彩色インク中のカリウムイオン濃度の総和（ｐｐｍ）
Ｌｉｃｔ：前記２色以上の有彩色インク中のリチウムイオン濃度の総和（ｐｐｍ）
Ｎａｃｔ：前記２色以上の有彩色インク中のナトリウムイオン濃度の総和（ｐｐｍ）
条件（Ｚ１）：Ｋｃｔ／（Ｌｉｃｔ＋Ｎａｃｔ＋Ｋｃｔ）＜０．５
Ｋｃｔ：前記２色以上の有彩色インク中のカリウムイオン濃度の総和（ｐｐｍ）
Ｌｉｃｔ：前記２色以上の有彩色インク中のリチウムイオン濃度の総和（ｐｐｍ）
Ｎａｃｔ：前記２色以上の有彩色インク中のナトリウムイオン濃度の総和（ｐｐｍ）
【００５６】
つぎに、本発明のインクジェット記録装置について説明する。
【００５７】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用インクセットを構成する無彩色インク及び有彩色インクが収容されていることを特徴とする。
【００５８】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００５９】
４つのインクカートリッジ２は、イエロー、マゼンタ、シアン及びブラックの４色の水性インクを、それぞれ１色ずつ含む。例えば、前記水性ブラックインクが、本発明の無彩色インクであり、前記水性イエローインク、前記水性マゼンタインク及び前記水性シアンインクの少なくとも一つが、本発明の有彩色インクである。本例では、４つのインクカートリッジ２のセットを示したが、これに代えて、水性イエローインク収納部、水性マゼンタインク収納部、水性シアンインク収納部及び水性ブラックインク収納部を形成するようにその内部が間仕切りされた一体型のインクカートリッジを用いてもよい。前記インクカートリッジの本体としては、例えば、従来公知のものを使用できる。
【００６０】
ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００６１】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００６２】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００６３】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。また、これらの態様においては、４つのインクカートリッジ２に代えて、ボトル形状の４つのインクボトルを用いてもよい。この場合、前記インクボトルには、外部から内部にインクを注入するための注入口が設けられていることが好ましい。
【００６４】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。記録後の記録用紙Ｐは、インクジェット記録装置１から排紙される。本発明によれば、無彩色インクを用いて形成された記録部と、有彩色インクを用いて形成された記録部との境界部におけるブリードが効果的に防止された記録物を得ることが可能である。図１においては、記録用紙Ｐの給紙機構及び排紙機構の図示を省略している。
【００６５】
図１に示す装置では、シリアル型インクジェットヘッドを採用するが、本発明は、これに限定されない。前記インクジェット記録装置は、ライン型インクジェットヘッドを採用する装置であってもよい。
【００６６】
つぎに、本発明のインクジェット記録方法は、記録媒体にインクセットを構成するインクをインクジェット方式で吐出して記録するインクジェット記録方法であって、前記インクセットが、本発明のインクジェット記録用インクセットであることを特徴とする。前記記録は、印字、印画、印刷等を含む。
【００６７】
つぎに、本発明のインクジェット記録用インクの選択方法について説明する。本発明のインクジェット記録用インクの選択方法は、インクジェット記録用インクセットを構成するインクジェット記録用インクの選択方法であって、前記インクセットは、無彩色インクと、有彩色インクとを含み、前記無彩色インクは、カリウムイオンと、リチウムイオン及びナトリウムイオンの少なくとも一方とを含み、前記有彩色インクは、カリウムイオン、リチウムイオン及びナトリウムイオンからなる群から選択される少なくとも一つを含み、前記選択方法が、前記無彩色インク中及び前記有彩色インク中のカリウムイオン濃度、リチウムイオン濃度及びナトリウムイオン濃度を測定する測定工程；前記条件（Ｘ）及び前記条件（Ｙ）を満たすように、前記無彩色インク及び前記有彩色インクを選択する選択工程；を含むことを特徴とする。本発明のインクジェット記録用インクの選択方法によれば、前記無彩色インク中及び前記有彩色インク中のカリウムイオン濃度、リチウムイオン濃度及びナトリウムイオン濃度を測定し、前記条件（Ｘ）及び前記条件（Ｙ）を満たすように、前記無彩色インク及び前記有彩色インクを選択することで、無彩色インクを用いて形成された記録部と、有彩色インクを用いて形成された記録部との境界部におけるブリードを効果的に防止可能な無彩色インク及び有彩色インクを極めて容易に選択することができる。本発明のインクジェット記録用インクの選択方法のその他の条件は、本発明のインクジェット記録用インクセットと同様である。
【００６８】
つぎに、本発明のインクジェット記録用インクセットの製造方法について説明する。本発明のインクジェット記録用インクセットの製造方法は、無彩色インクと、有彩色インクとを含むインクジェット記録用インクセットの製造方法であって、本発明のインクジェット記録用インクの選択方法により、前記条件（Ｘ）及び前記条件（Ｙ）を満たすように、無彩色インクと、有彩色インクとを予め選択しておき、前記選択に従って、前記無彩色インクと、前記有彩色インクとを組み合わせることを特徴とする。本発明のインクジェット記録用インクセットの製造方法によれば、本発明のインクジェット記録用インクの選択方法により無彩色インクと、有彩色インクとを予め選択しておくことで、無彩色インクを用いて形成された記録部と、有彩色インクを用いて形成された記録部との境界部におけるブリードを効果的に防止可能なインクジェット記録用インクセットを極めて容易に得ることができる。本発明のインクジェット記録用インクセットの製造方法のその他の条件は、本発明のインクジェット記録用インクセットと同様である。
【００６９】
つぎに、本発明のブリード抑制方法について説明する。本発明のブリード抑制方法は、インクセットを用いたインクジェット記録におけるブリード抑制方法であって、前記インクセットが、本発明のインクジェット記録用インクセットであることを特徴とする。
【実施例】
【００７０】
つぎに、本発明の実施例について比較例と併せて説明する。なお、本発明は、下記の実施例及び比較例により限定及び制限されない。
【００７１】
〔顔料を用いた無彩色インクの調製〕
インク組成（表１）における、自己分散型カーボンブラックを除く成分を、均一に混合してインク溶媒を得た。つぎに、水に分散させた自己分散型カーボンブラックに、前記インク溶媒を加え、均一に混合した。その後、得られた混合物を、東洋濾紙（株）製のセルロースアセテートタイプメンブレンフィルタ（孔径３．００μｍ）でろ過することで、表１に示す顔料を用いた無彩色インクＢｋ−１ａ〜Ｂｋ−１ｊ、Ｂｋ−２ａ、Ｂｋ−２ｂ及びＢｋ−３を得た。
【００７２】
〔染料を用いた無彩色インクの調製〕
インク組成（表１）における各成分を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、表１に示す染料を用いた無彩色インクＢｋ−４ａ及びＢｋ−４ｂを得た。
【００７３】
【表１】
0006646869.tif 000002
【００７４】
〔顔料分散液の調製〕
表２〜４に示す顔料２０重量％、樹脂分散剤（アクリル酸−アクリル酸エステル共重合体）５．０重量％に、純水を加えて全体を１００重量％とし、撹拌混合して混合物を得た。この混合物を、０．３ｍｍ径ジルコニアビーズを充填した湿式サンドミルに入れ、６時間分散処理を行った。その後、ジルコニアビーズをセパレータにより取り除き、孔径３．０μｍセルロースアセテートフィルターでろ過することにより、表２〜４に示す顔料分散液１、３、４及び６〜１０を得た。
【００７５】
〔顔料を用いた有彩色インクの調製〕
有彩色インク組成（表２〜４）における、顔料分散液を除く成分を、均一に混合しインク溶媒を得た。つぎに、顔料分散液に、前記インク溶媒を加え、均一に混合した。その後、得られた混合物を、東洋濾紙（株）製のセルロースアセテートタイプメンブレンフィルタ（孔径３．００μｍ）でろ過することで、表２〜４に示す顔料を用いた有彩色インクＹ−１ａ〜Ｙ−１ｇ、Ｙ−２〜Ｙ−４、Ｍ−１ａ、Ｍ−１ｂ、Ｍ−２〜Ｍ−６、Ｃ−１、Ｃ−２及びＣ−４を得た。
【００７６】
〔染料を用いた有彩色インクの調製〕
有彩色インク組成（表４）における各成分を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、表４に示す染料を用いた有彩色インクＣ−３を得た。
【００７７】
【表２】
0006646869.tif 000003
【００７８】
【表３】
0006646869.tif 000004
【００７９】
【表４】
0006646869.tif 000005
【００８０】
［実施例１−１〜１−１８及び比較例１−１〜１−５］
〔インクジェット記録用インクセットの構成〕
実施例１−１〜１−１８は、前記有彩色インクが１種類の例である。表５に示すように、無彩色インク及び有彩色インクを組み合わせて、インクジェット記録用インクセットを構成した。
【００８１】
〔インクジェット記録用インクセットの評価〕
実施例１−１〜１−１８及び比較例１−１〜１−５のインクセットについて、ブリード評価を、下記の方法により実施した。
【００８２】
（ブリード評価）
ブラザー工業（株）製のインクジェットプリンタＤＣＰ−Ｊ４２２５Ｎを使用し、普通紙３紙（Ｉｎｔｅｒｎａｔｉｏｎａｌ  Ｐａｐｅｒ社製のＲｅｙ  Ｃｏｐｙ  Ｐａｐｅｒ、Ｘｅｒｏｘ社製のＢｕｓｉｎｅｓｓ及びＲｅｃｙｃｌｅｄ  Ｓｕｐｒｅｍｅ）上に、背景に実施例１−１〜１−１８及び比較性１−１〜１−５のインクセットを構成する有彩色インク、ラインに実施例１−１〜１−１８及び比較例１−１〜１−５のインクセットを構成する無彩色インクを用いて評価サンプルを作製した。前記評価サンプルにおけるブリードを、クオリティ・エンジニアリング・アソシエイツ（ＱＥＡ）社製のハンディ型画像評価システム「ＰＩＡＳ（登録商標）−ＩＩ」によりラギットネス（Ｒａｇｇｅｄｎｅｓｓ）を測定することで、下記評価基準に従って評価した。前記ラギットネスの測定は、ＩＳＯ−１３６６０に準拠して実施し、各普通紙について３回行った。ここで、各普通紙における測定結果は、それぞれ、３回測定した値の平均値の小数第１位を四捨五入したものであり、「３紙平均」は、前記各普通紙のそれぞれの前記平均値（小数第１位を四捨五入する前の値）の和を３で除した３紙の測定結果の平均値について小数第１位を四捨五入したものである。ここで、ラギットネスとは、ＩＳＯ−１３６６０で定義されたラインのラギットネスであり、ラギットなラインとは、本来スムーズで真っ直ぐなはずの理想のラインエッジに対して波打っている状態を示す。
【００８３】
ブリード評価  評価基準
Ａ：ラインのラギットネスの３紙平均が、３０未満であった。
Ｂ：ラインのラギットネスの３紙平均が、３０以上４０未満であった。
Ｃ：ラインのラギットネスの３紙平均が、４０以上であった。
【００８４】
実施例１−１〜１−１８及び比較例１−１〜１−５のインクセットの構成及び評価結果を、表５に示す。
【００８５】
【表５】
0006646869.tif 000006
【００８６】
表５に示すとおり、実施例１−１〜１−１８では、ブリードの評価結果が良好であった。特に、前記条件（Ｘ１）（Ｋａ／（Ｌｉａ＋Ｎａａ＋Ｋａ）＞０．８）及び前記条件（Ｙ１）（Ｋｃ／（Ｌｉｃ＋Ｎａｃ＋Ｋｃ）＜０．５）を満たす実施例１−２、１−３、１−５、１−７〜１−９、１−１２〜１−１５及び１−１７では、ブリードの評価結果が極めて優れていた。一方、前記条件（Ｘ）及び前記条件（Ｙ）の少なくとも一方を満たさない比較例１−１〜１−５では、ブリードの評価結果が悪かった。
【００８７】
［実施例２−１〜２−３］
実施例２−１〜２−３は、前記有彩色インクが２色以上の例である。表６に示すように、無彩色インク及び有彩色インクを組み合わせて、インクジェット記録用インクセットを構成した。
【００８８】
実施例２−１〜２−３のインクセットについて、背景を、前記２色以上の有彩色インクを同量ずつ用いた混色として形成したこと以外は、実施例１−１〜１−１３及び比較例１−１〜１−５と同様にして、ブリード評価を実施した。
【００８９】
実施例２−１〜２−３のインクセットの構成及び評価結果を、表６に示す。なお、表６において、Ｋｃ、Ｌｉｃ及びＮａｃは、それぞれ、前記２色以上の有彩色インク中のカリウムイオン濃度、リチウムイオン濃度及びナトリウムイオン濃度の総和（ｐｐｍ）である。
【００９０】
【表６】
0006646869.tif 000007
【００９１】
表６に示すとおり、実施例２−１〜２−３では、ブリードの評価結果が良好であった。特に、前記条件（Ｘ１）（Ｋａ／（Ｌｉａ＋Ｎａａ＋Ｋａ）＞０．８）及び前記条件（Ｙ１）（Ｋｃ／（Ｌｉｃ＋Ｎａｃ＋Ｋｃ）＜０．５）を満たす実施例２−１及び２−３では、ブリードの評価結果が極めて優れていた。
【産業上の利用可能性】
【００９２】
以上のように、本発明のインクセットは、無彩色インクを用いて形成された記録部と、有彩色インクを用いて形成された記録部との境界部におけるブリードを効果的に防止可能なものである。本発明のインクセットの用途は、特に限定されず、各種のインクジェット記録に広く適用可能である。
【符号の説明】
【００９３】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
0006646869.tif 000008